(57)【要約】【課題】薄型化を可能にした携帯機を提供すること。【解決手段】携帯機１のケース２は、アッパケース３とロアケース４とからなる。アッパケース３には、意匠面表側からボタン５〜８及びカバー９によって塞がれる開口１０ａ〜１０ｅを含む窓１０に面して延びるレール１１が設けられている。ボタン５〜８は、開口１０ｅのうちレール１１が存在しない部位を通じて、それぞれの裏面と各ガイド片の先端部とで各レール１１を上下から挟むように、該レール１１上を先端から基端部に向かってスライド可能であり、レール１１上のそれぞれの規定位置に組み付けられている。カバー９は、意匠面表側からアッパケース３に貼り付けられている。【選択図】図１
2018170683.tif 000002
【特許請求の範囲】
【請求項１】
ケースにボタンが組み付けられている携帯機において、
前記ケースには、意匠面表側から前記ボタンによって塞がれる開口を含む窓に面して延びるレールが設けられ、
前記窓を通じて前記レールの先端から基端部に向かって該レールを上下から挟むようにレール上をスライド可能な前記ボタンがレール上の規定位置に組み付けられている
ことを特徴とする携帯機。
【請求項２】
前記窓のうち前記ボタンによって塞がれる開口以外の部位を意匠面表側から塞ぐカバーを備える
請求項１に記載の携帯機。
【発明の詳細な説明】
【技術分野】
【０００１】
本発明は、ケースにボタンが組み付けられている携帯機に関する。
【背景技術】
【０００２】
特許文献１には、機器の動作が割り当てられたスイッチが基板に実装され、その基板がケース内に収容されるとともに、該ケースにボタンが組み付けられている携帯機が開示されている。ボタンが押下されると、ボタン直下のスイッチがオンすることにより、該スイッチに割り当てられた動作を指示する無線信号がアンテナを通じて外部に送信される。
【先行技術文献】
【特許文献】
【０００３】
【特許文献１】特開２００７−２５８８７７号公報
【発明の概要】
【発明が解決しようとする課題】
【０００４】
ボタンの組み付けは主に、意匠面表側から組み付けるタイプと、意匠面裏側から組み付けるタイプとに分かれる。
意匠面表側から組み付けるタイプでは、ボタンを押し込んで該ボタンの爪形状部をケースの被係止部に引っ掛けるいわゆるスナップフィットによる組み付けのため、爪形状部の肉厚分の他、爪形状部を撓ませるための取り付けスペースが必要となり、携帯機の薄型化が困難となる。
【０００５】
また、意匠面裏側から組み付けるタイプでは、ボタンをケースの裏から載せる構造のため、ボタンが斜めに押下された場合に基板への直当たりやケース奥部へのもぐり込みが発生する懸念があり、それらを防止するために、ケースにおいてボタン周囲の立ち壁を高くする等の構造的な配慮が必要となり、携帯機の薄型化が困難となる。
【０００６】
本発明は、このような問題点に着目してなされたものであって、その目的は、薄型化を可能にした携帯機を提供することにある。
【課題を解決するための手段】
【０００７】
上記課題を解決する携帯機は、ケースにボタンが組み付けられている携帯機において、前記ケースには、意匠面表側から前記ボタンによって塞がれる開口を含む窓に面して延びるレールが設けられ、前記窓を通じて前記レールの先端から基端部に向かって該レールを上下から挟むようにレール上をスライド可能な前記ボタンがレール上の規定位置に組み付けられていることをその要旨としている。
【０００８】
この構成によれば、ボタンの組み付けがレール上をスライドさせることで実現される。このため、意匠面表側からスナップフィットで組み付けるタイプと比較すると、爪形状部の肉厚分の他、爪形状部を撓ませるための取り付けスペースが不要となる分、薄型化できる。また、レールがボタンの上下方向の動きを抑制するため、上下方向でボタンが抜けることが無い他、ボタンが斜めに押下された場合でも、ケース内に収容される基板への直当たりやケース奥部へのもぐり込みが防止される。このため、意匠面裏側からボタンを載せて組み付けるタイプと比較すると、ケースにおいてボタン周囲の立ち壁を高くする等の構造的な配慮が不要となる分、薄型化できる。
【０００９】
上記携帯機について、前記窓のうち前記ボタンによって塞がれる開口以外の部位を意匠面表側から塞ぐカバーを備えることとしてもよい。
この構成によれば、ケースの窓をボタンとカバーとで塞いで意匠面を形成できる。
【発明の効果】
【００１０】
本発明によれば、薄型化できる。
【図面の簡単な説明】
【００１１】
【図１】（ａ）は携帯機の斜視図、（ｂ）は携帯機要部の分解斜視図、（ｃ）はボタンの斜視図。
【図２】（ａ）は比較例の携帯機要部の分解斜視図、（ｂ）は比較例の携帯機要部の断面図、（ｃ）は本例の携帯機要部の断面図。
【図３】（ａ）は他の比較例の携帯機要部の分解斜視図、（ｂ）は他の比較例の携帯機要部の断面図。
【発明を実施するための形態】
【００１２】
以下、携帯機の一実施の形態について説明する。
図１（ａ）に示すように、車両キーとしてユーザが所持する携帯機１は、車載器との無線通信が可能であり、通信媒体となるアンテナの他、車両の動作（ドアロックの施解錠等）が割り当てられたスイッチ、通信制御を実行するマイコンが実装された基板がケース２内に収容されている。
【００１３】
ケース２は、上下一対のケース（アッパケース３とロアケース４）からなり、アッパケース３には、基板上のスイッチ（本例では４つのスイッチ）に対応して、それぞれの直上に１つずつ合計４つのボタン５〜８が一列に組み付けられるとともに、その列の最後にカバー９が組み付けられている。ボタン５〜８が用途に応じて選択的に押下されると、ボタン直下のスイッチがオンすることにより、該スイッチに割り当てられた動作を指示する無線信号がアンテナを通じて外部に送信される。
【００１４】
図１（ｂ）に示すように、アッパケース３には、意匠面表側から裏側に貫通する略四角形の窓１０が形成され、その窓１０の長手方向に面して延びるように、該窓１０の両サイドには、一対のレール１１が設けられている。窓１０は、ボタン５〜８及びカバー９に対応して細分化され、意匠面表側からボタン５によって塞がれる部位が開口１０ａ、同じくボタン６によって塞がれる部位が開口１０ｂ、同じくボタン７によって塞がれる部位が開口１０ｃ、同じくボタン８によって塞がれる部位が開口１０ｄ、同じくカバー９によって塞がれる部位が開口１０ｅである。各レール１１は、窓１０の長手方向における開口１０ａ側の端が基端位置であり、開口１０ｅの中央付近が先端位置である。
【００１５】
図１（ｃ）に示すように、ボタン５〜８は同様の形状をなし、ボタン５の例では、各レール１１に対応する一対のガイド片５ａが、ボタン５の裏面からそれぞれ裏側に向かって延びる基端部と、該基端部の先端から互いが離間する方向に延びる先端部とを有する鉤形に形成されている。ボタン５〜８は、開口１０ｅのうちレール１１が存在しない部位を通じて、それぞれの裏面と各ガイド片の先端部とで各レール１１を上下から挟むように、該レール１１上を先端から基端部に向かってスライド可能であり、レール１１上のそれぞれの規定位置に組み付けられている。カバー９は、意匠面表側からアッパケース３に貼り付けられている。これらのように窓１０をボタン５〜８とカバー９とで塞いで意匠面が形成される。
【００１６】
次に、携帯機１の作用効果について説明する。
まず、図２（ａ）に示すように、本例の携帯機１とは異なる比較例の携帯機２０、すなわち意匠面表側からスナップフィットでボタン２１をケース２２に組み付けるタイプでは、図２（ｂ）に示すように、ボタン２１を押し込んで該ボタン２１の爪形状部２１ａをケース２２の被係止部２２ａに引っ掛ける構造が採用される。この場合、爪形状部２１ａの肉厚分の他、爪形状部２１ａを撓ませるための取り付けスペースが必要となり、携帯機２０の薄型化が困難となる。
【００１７】
これに対し、図２（ｃ）に示すように、本例の携帯機１では、ボタン５〜８の組み付けがレール１１上をスライドさせることで実現される。このため、比較例の携帯機２０と比較すると、爪形状部２１ａの肉厚分の他、爪形状部２１ａを撓ませるための取り付けスペースが不要となる分、薄型化できる。
【００１８】
次いで、図３（ａ）に示すように、本例の携帯機１とは異なる他の比較例の携帯機３０、すなわちボタン３１をケース３２の裏から載せるタイプでは、図３（ｂ）に示すように、ボタン３１が斜めに押下された場合に基板３３への直当たりやケース３２奥部へのもぐり込みが発生する懸念がある。この場合、それらを防止するために、ケース３２においてボタン３１周囲の立ち壁を高くする等の構造的な配慮が必要となり、携帯機３０の薄型化が困難となる。
【００１９】
これに対し、図２（ｃ）を援用して、本例の携帯機１では、レール１１がボタン５〜８の上下方向の動きを抑制するため、上下方向でボタン５〜８が抜けることが無い他、ボタン５〜８が斜めに押下された場合でも、ケース２内に収容される基板１２への直当たりやケース２奥部へのもぐり込みが防止される。このため、他の比較例の携帯機３０と比較すると、ケース２においてボタン５〜８周囲の立ち壁を高くする等の構造的な配慮が不要となる分、薄型化できる。
【００２０】
尚、上記実施の形態は、次のように変更して具体化することも可能である。
・用途に応じてボタンの数を変更してもよい。もっとも、２つのボタンに対し、それぞれの直下に１つずつ合計２つのスイッチが用意され、一方のスイッチに一つ目の動作が割り当てられ、他方のスイッチに二つ目の動作が割り当てられ、２つのボタンが同時に押下されて双方のスイッチが同時にオンされると、三つ目の動作を指示する無線信号が送信される携帯機であってもよい。
【００２１】
・カバー９の組み付けは貼り付けに限らない。カバー９は、直下に基板１２が存在しない箇所で意匠面表側からスナップフィットによりアッパケース３に組み付けられていてもよい。
【００２２】
・図１（ｂ）を援用して、窓１０の長手方向における開口１０ｃの辺りでレール１１を分断し、該開口１０ｃを通じて、ボタン５、６を開口１０ａ、１０ｂを塞ぐ位置まで一方向へスライドさせ、ボタン７、８を開口１０ｄ、１０ｅを塞ぐ位置まで他方向へスライドさせ、最後に開口１０ｃをカバー９で塞いでもよい。この場合、必要に応じて２枚の基板をケース２内に収容してもよい。
【００２３】
・上記実施の形態に倣い、携帯機１を送信側とする単方向通信が可能な携帯機１に本発明を適用してもよいし、該単方向通信に代えて又は加えて車載器との間で双方向通信が可能な携帯機に本発明を適用してもよい。尚、車両キーとして使用される携帯機に限らず、建物用の鍵（電子キー）として使用される携帯機であってもよい。
【００２４】
次に、上記実施の形態及び別例から把握できる技術的思想について記載する。
（イ）携帯機において、前記カバーは、意匠面表側から前記ケースに貼り付けられていること。
【００２５】
（ロ）携帯機において、前記ケース内には、前記ボタンの直下に設けられるスイッチが実装された基板が収容されていること。
（ハ）携帯機において、前記カバーは、直下に前記基板が存在しない箇所で意匠面表側からスナップフィットにより前記ケースに組み付けられていること。
【符号の説明】
【００２６】
１…携帯機、２…ケース、３…アッパケース、４…ロアケース、５〜８…ボタン、５ａ…ガイド片、９…カバー、１０…窓、１０ａ〜１０ｅ…開口、１１…レール、１２…基板。
【図１】
2018170683.tif 000003
【図２】
2018170683.tif 000004
【図３】
2018170683.tif 000005